(57)【要約】【課題】パネル状製品をベランダの柵に取り付けるための取付金物であって、既存のベランダの柵にも極めて簡単に且つ安全にパネル状製品を設置できるパネル状製品の取付金物を提供する。【解決手段】パネル状製品の取付金物は、パネル状製品の平行な２側面に各沿わせて固定される差込み金具５と、ベランダの柵８に取り付けられて差込み金具５を受ける１組の受金具１とから構成されている。差込み金具５は、その長さ方向に沿った側縁部がパネル状製品の側面と直交する方向に屈曲した構造を備えており、また、受金具１は、柵８の上端部に架け渡す架渡し部１ｂと、柵８の内面側に垂下する突当て部１ａと、柵８の外面側に垂下する吊下げ部１ｃとからなり、吊下げ部１ｃには、扁平で且つ細長の袋状の受止め部材３が付設され、当該受止め部材の幅方向の中央には、差込み金具５を挿通する案内溝３１が上下方向に亙って形成されている。【選択図】図１
2014031922.tif 000002
【特許請求の範囲】
【請求項１】
外形が扁平な直方体に形成されたパネル状製品をベランダの柵の外面に垂直に取り付けるための取付金物であって、正面視して四角形のパネル状製品の平行な２側面に各沿わせて固定される細長板状の差込み金具と、ベランダの柵に取り付けられて前記差込み金物を受ける１組の受金具とから構成され、前記差込み金具は、その長さ方向に沿った側縁部がパネル状製品の側面と直交する方向に屈曲した構造を備え、前記受金具は、ベランダの柵の上端部に架け渡す架渡し部と、当該架渡し部からベランダの柵の内面側に垂下する突当て部と、前記架渡し部からベランダの柵の外面側に垂下する吊下げ部とからなり、前記受金具の吊下げ部には、正面視して扁平で且つ細長の袋状の受止め部材が付設され、当該受止め部材の幅方向の中央には、前記差込み金具を挿通する案内溝が上下方向に亙って形成されていることを特徴とするパネル状製品の取付金物。
【請求項２】
受金具の吊下げ部には、ベランダの柵を挟み付ける押え板が突当て部と対向する位置に設けられている請求項１に記載の取付金物。
【請求項３】
パネル状製品の背面の上辺部に沿って設けられた棒状の把手が引掛る掛止金具を含み、当該掛止金具は、ベランダの柵の上端部に架け渡す架渡し部と、当該架渡し部からベランダの柵の内面側に垂下する突当て部と、前記架渡し部からベランダの柵の外面側に垂下する吊下げ部とからなり、前記架渡し部の先端部は、吊下げ部よりも柵の外側に張り出すように構成され、かつ、張り出し部分の上面には、パネル状製品の把手の滑落を規制する掛止部が設けられている請求項１又は２に記載の取付金物。
【請求項４】
パネル状製品が、扁平な直方体の箱状に形成されたケーシング内に集熱管を配置してなり且つ当該集熱管に流通させた流体を太陽熱で加温する平板型の太陽集熱器である請求項１〜３の何れかに記載の取付金物。
【請求項５】
請求項１〜４の何れかに記載の取付金物を使用してベランダの柵の外面にパネル状製品を取り付ける方法であって、ベランダの柵に１組の受金具を配置するに当たり、ゲージとして、帯状の板材の両端が同一方向に各９０度屈曲した構造を備え且つ当該屈曲部分の離間間隔がパネル状製品の２側面の差込み金具の離間間隔と同一に設定されたゲージを使用し、各受金具の吊下げ部の受止め部材の案内溝に前記ゲージの屈曲部分を挿入することにより、これら受金具の位置決めを行うことを特徴とするパネル状製品の取付方法。
【発明の詳細な説明】
【技術分野】
【０００１】
本発明は、パネル状製品の取付金物に関するものであり、詳しくは、平板型の太陽集熱器などのパネル状製品をベランダの柵に取り付けるためのパネル状製品の取付金物に関するものである。
【背景技術】
【０００２】
例えば、太陽集熱器は、流体を流通させて太陽熱を回収する装置であり、生活用水の加熱用、あるいは、空調用のヒートポンプの作動熱源として利用される。太陽集熱器の使用方法としては、水、不凍液などの熱媒体である流体をポンプで強制循環させる方式や、生活用水を直接通水して加温する方式があるが、設置の容易性や集熱効率の点から、平板型の集熱器が普及している。
【０００３】
上記の太陽集熱器は、多くは屋根に設置されるが、その取付構造としては、例えば、屋根の野地板上に支持枠を配置し、太陽集熱器の背面側に突き出たケーシングのスカート部分を前記の支持枠に嵌合させてねじ固定した構造（特許文献１）、屋根の支持瓦に桟を棟方向に架け渡し、固定アングル（Ｌ型鋼）を介して桟に太陽集熱器の側面部分をねじ固定した構造（特許文献２）、屋根の野地板上に複数の凸状部を形成し、隣接する凸状部間に太陽集熱器を配置し、太陽熱集熱器の側面部を取付金具（Ｌ型鋼）を介してねじ固定した構造（特許文献３）が開示されている。
【先行技術文献】
【特許文献】
【０００４】
【特許文献１】特開昭５８−１０４４６１号公報
【特許文献２】特開２００２−３０３４５５号公報
【特許文献３】実開平６−４０７６８号公報
【発明の概要】
【発明が解決しようとする課題】
【０００５】
ところで、上記のような太陽集熱器は、既存の集合住宅などにおいて後付けで設置する場合、例えばベランダの柵の外面に立てた状態で取り付けられる。しかしながら、屋根へ取り付ける従来の取付構造は、支持枠や桟などの下地材を予め建物側に設置する構造であるため、モルタルなどで垂直に構築されたベランダの柵には適用し難いと言う問題がある。しかも、２階以上の上方階のベランダの柵に設置する場合には、設置作業が高所作業になると言う問題もある。なお、太陽電池モジュール（ソーラーパネル）等のパネル状製品をベランダの柵に取り付ける場合も同様の問題がある。
【０００６】
本発明は、上記の実情に鑑みなされたものであり、その目的は、平板型の太陽集熱器や太陽電池モジュール等のパネル状製品をベランダの柵に取り付けるための取付金物であって、既存のベランダの柵にも極めて簡単に且つ安全にパネル状製品を設置できるパネル状製品の取付金物を提供することにある。
【課題を解決するための手段】
【０００７】
上記の課題を解決するため、本発明においては、パネル状製品の平行な２側面に各沿わせて固定される差込み金具と、ベランダの柵に取り付けられる１組の受金具とを使用し、差込み金具は、その長さ方向に沿った側縁部がパネル状製品の側面と直交する方向に屈曲した形状とし、受金具は、細長の金属板を２個所で同一方向に９０度折曲げた構造としてベランダの柵にその上端部から被せるようにして取り付けると共に、ベランダの柵の上端部に架け渡した受金具の架渡し部からベランダの柵の外面側に垂下する吊下げ部に対し、扁平で且つ細長の袋状の受止め部材を付設し、かつ、当該受止め部材の幅方向の中央に案内溝を上下方向に亙って形成することにより、パネル状製品の差込み金具を受止め部材の案内溝に上方から差し込むだけで、当該パネル状製品を垂直状態に懸架できるようにした。
【０００８】
すなわち、本発明の要旨は、外形が扁平な直方体に形成されたパネル状製品をベランダの柵の外面に垂直に取り付けるための取付金物であって、正面視して四角形のパネル状製品の平行な２側面に各沿わせて固定される細長板状の差込み金具と、ベランダの柵に取り付けられて前記差込み金物を受ける１組の受金具とから構成され、前記差込み金具は、その長さ方向に沿った側縁部がパネル状製品の側面と直交する方向に屈曲した構造を備え、前記受金具は、ベランダの柵の上端部に架け渡す架渡し部と、当該架渡し部からベランダの柵の内面側に垂下する突当て部と、前記架渡し部からベランダの柵の外面側に垂下する吊下げ部とからなり、前記受金具の吊下げ部には、正面視して扁平で且つ細長の袋状の受止め部材が付設され、当該受止め部材の幅方向の中央には、前記差込み金具を挿通する案内溝が上下方向に亙って形成されていることを特徴とするパネル状製品の取付金物に存する。
【発明の効果】
【０００９】
本発明の取付金物によれば、ベランダ内側からの簡単な施工でベランダの柵に受金具を取り付けることができ、受金具を取り付けた後は、パネル状製品を上方から落とし込み、受金具の吊下げ部の受止め部材に形成された案内溝にパネル状製品側の差込み金具を挿入するだけで、ベランダの柵の外面にパネル状製品を懸架できる。従って、本発明によれば、既存のベランダの柵に対しても簡単に且つ安全にパネル状製品を設置することができる。
【図面の簡単な説明】
【００１０】
【図１】本発明に係るパネル状製品の取付金物の主要部の構成を示す斜視図である。
【図２】本発明の好ましい態様において設けられる掛止金具およびパネル状製品の背面側の把手を示す斜視図である。
【図３】本発明に係るパネル状製品の取付金物およびパネル状製品の取付形態を示す正面図である。
【発明を実施するための形態】
【００１１】
本発明に係るパネル状製品の取付金物（以下、「取付金物」と略記する。）の実施形態を図面に基づいて説明する。なお、本発明はその要旨を超えない限り以下の実施形態に限定されるものではない。
【００１２】
本発明の取付金物は、パネル状製品をベランダの柵の外面に垂直に取り付けるための金物である。パネル状製品としては、平板型の太陽集熱器や太陽電池モジュール等が挙げられるが、以下の実施形態においては、パネル状製品として、平板型の太陽集熱器を一例に挙げて説明する。
【００１３】
上記の太陽集熱器は、扁平な直方体の箱状に形成されたケーシング内に集熱管を配置してなり且つ当該集熱管に流通させた流体を太陽熱で加温するようになされている。具体的には、太陽集熱器は、扁平な箱状に形成され且つ上面が透明な封止板で被われたケーシングと、封止板との間に空間を介してケーシング内の底側に配置されたシート状の断熱材と、当該断熱材の表側に配列された複数本の集熱管と、これら集熱管を覆う状態に断熱材の表側に配置された集熱板とを備えている。
【００１４】
ケーシングは、通常、鋼板やアルミニウム合金板によって平面形状を例えば長方形に形成されている。ケーシングの一辺部の長さは１５０〜５０００ｍｍ程度、ケーシングの厚さは３０〜１００ｍｍ程度であり、太陽集熱器の重量は、例えばケーシングの平面寸法が９００ｍｍ×１２００ｍｍのもので１５ｋｇ程度である。図中、上記のような太陽集熱器のケーシングを符号７で示している。
【００１５】
本発明の取付金物は、図３に示すように、正面視して四角形の太陽集熱器のケーシング７の平行な２側面に各沿わせて固定される細長板状の差込み金具５と、ベランダの柵８に取り付けられて差込み金具５を受ける１組の受金具１とから構成されている。なお、本発明において、正面視した場合とは、図３に示すように太陽集熱器を設置した状態において正面から見た場合を言う。
【００１６】
図１に示すように、上記の差込み金具５は、その幅部分がケーシング７の背面側に僅かに張り出し且つその長さ方向に沿った張り出した側の一方の側縁部がケーシング７の側面と直交する方向に屈曲した構造を備えている。差込み金具５としては、その長さ方向に直交する断面がＬ字状、Ｔ字状などに形成された板状のものを使用できるが、例えば、差込み金具５は、後述するように２基の太陽集熱器を並べて配置するため、Ｌ型鋼で構成され且つＬ字の底辺部をケーシング７の背面側に回り込ませた状態にケーシング７の側面に沿わせて取り付けられている。ケーシング７の側面の幅（ケーシングの厚さ）に沿った差込み金具５の幅は６５〜８５ｍｍ程度、ケーシング７の背面側に回り込んだ屈曲部分の幅は１５〜２０ｍｍ程度、差込み金具５の全長は３５０〜４５０ｍｍ程度である。また、太陽集熱器の設置工事の際に取扱い性を高めるため、差込み金具５の側面には、指先が引掛る吊下げ穴５１が設けられている。
【００１７】
上記の受金具１は、差込み金具５を受止めるための金具であり、幅が１００〜１５０ｍｍ程度の細長の金属板を２個所で同一方向に９０度折曲げることにより、略逆Ｊ字状に形成されている。すなわち、受金具１は、ベランダの柵８の上端部に架け渡す架渡し部１ｂと、当該架渡し部からベランダの柵８の内面側（建物の内側）に垂下する突当て部１ａと、架渡し部１ｂからベランダの柵８の外面側（建物の外側）に垂下する吊下げ部１ｃとから構成されている。
【００１８】
架渡し部１ｂの長さは、通常のベランダの柵８の厚さに相当する長さよりも十分に長い長さに設計され、突当て部１ａの長さは、柵８を確実に挟み付ける程度の長さに設計され、そして、吊下げ部１ｃの長さは、後述する受止め部材３の長さを十分に確保し得る長さに設計されている。具体的には、架渡し部１ｂの長さは２５０〜２３０ｍｍ程度、突当て部１ａの長さは２２０〜２８０ｍｍ程度、吊下げ部１ｃの長さは７２０〜８３０ｍｍ程度に設定されている。
【００１９】
突当て部１ａは、ベランダの柵８の内面に突当てる部位であり、突当て部１ａには、鋼板や硬質ゴムからなる滑り止め１１が付設されている。吊下げ部１ｃには、ベランダの柵８に受金具１を固定するための機構と、上記の差込み金具５を係合させて太陽集熱器の荷重を受止める機構とが設けられている。
【００２０】
すなわち、吊下げ部１ｃの上部には、ベランダの柵８に固定するための機構として、ベランダの柵８を挟み付ける押え板１２が突当て部１ａと対向する位置に設けられている。斯かる押え板１２は、吊下げ部１ｃの内側（柵８側）に配置され、その一面側には、当該吊下げ部に向けて例えば４本の全ネジボルト１３が取り付けられている。全ネジボルト１３は、吊下げ部１ｃに設けられたボルト穴に挿通されており、全ネジボルト１３には、吊下げ部１ｃの内側に不陸調整ナット１４ｂが螺着され、吊下げ部１ｃから突出する全ネジボルト１３の先端側には、固定ナット１４が螺着されている。
【００２１】
不陸調整ナット１４ｂは、これを緩む方向に回転させることにより、押え板１２を柵８側に接近させる機能を有し、固定ナット１４は、これを締め付けることにより、吊下げ部１ｃと押え板１２とを緊結する機能を有している。換言すれば、不陸調整ナット１４ｂを調整して押え板１２を柵８の外面に押し当て、固定ナット１４を締め付けることにより、吊下げ部１ｃを垂直な状態に保持し且つ受金具１で柵８の上端部を挟み付けることができる。
【００２２】
また、吊下げ部１ｃの下部には、太陽集熱器を取り付けた際のモーメント荷重を支持するため、上記の押え板１２と同様の構造の細長の下端押え板６が設けられている。下端押え板６は、吊下げ部１ｃの内側（柵８側）に配置され、その一面側には、当該吊下げ部に向けて例えば２本の全ネジボルト６１が取り付けられている。
【００２３】
全ネジボルト６１は、吊下げ部１ｃに設けられたボルト穴に挿通されており、全ネジボルト６１には、吊下げ部１ｃの内側に不陸調整ナット６２ｂが螺着され、吊下げ部１ｃから突出する全ネジボルト６１の先端側には、固定ナット６２が螺着されている。従って、不陸調整ナット６２ｂを調整して下端押え板６を柵８の外面に押し当て、固定ナット６２を締め付けることにより、受金具１の回動を防止して吊下げ部１ｃの垂直な状態を維持できる。
【００２４】
受金具１の吊下げ部１ｃには、差込み金具５を係合させる機構として、正面視して扁平で且つ細長の袋状の受止め部材３が付設されている。受止め部材３は、扁平な縦長の封筒状に形成された部材であり、その内部には、前述の差込み金具５の厚さに相当する隙間が設けられている。そして、受止め部材３の幅方向の中央には、上記の差込み金具５を挿通する案内溝３１が上下方向に亙って形成されている。
【００２５】
受止め部材３の長さは、３５０〜４５０ｍｍ程度に設計され、受止め部材３の内部の幅は、差込み金具５のＬ字の底辺部（ケーシング７の裏面側に回し込まれた屈曲部分）の幅の２倍以上、例えば５０〜７０ｍｍ程度に設計されている。受止め部材３の案内溝３１は、上方から落とし込んだ太陽集熱器の差込み金具５の本体部（ケーシング７の側面に沿って当該ケーシングから後方へ張り出した部分）が嵌合するスリットである。斯かる案内溝３１の溝幅は、後述するように複数基の太陽集熱器を並べて配置する場合に隣接する差込み金具５を１つの受金具１で受けるため、差込み金具５の板厚の２倍以上、例えば８〜１２ｍｍ程度に設計されている。
【００２６】
上記の案内溝３１の上部は、正面視してＶ字状に開かれた形状に形成されている。これにより、上方から太陽集熱器を落とし込んだ際、若干の位置ずれがあっても差込み金具５を円滑に案内溝３１へ挿入することができる。なお、受止め部材３の下端は、挿入した差込み金具５を受止めるために底板３２で封止されている。
【００２７】
更に、吊下げ部１ｃの案内溝３１の上方には、ロックボルト１６を挿通するための長穴１５が設けられている。ロックボルト１６は、受金具１で太陽集熱器を支持した後、差込み金具５が上方に抜け出すのを防止するためのものであり、吊下げ部１ｃの表側から長穴１５に挿通し、吊下げ部１ｃの背面側でナット１７により締め付けるようになされている。
【００２８】
また、本発明の取付金物は、図３に示すように、太陽集熱器の上端部を支持する掛止金具２を備えていてもよい。具体的には、図２に示すように、太陽集熱器のケーシング７には、当該ケーシング背面の上辺部に沿って棒状の把手４が設けられている。斯かる把手４は、太陽集熱器の取扱いを容易にするための吊り部でもあり、例えば、直径が１０ｍｍ程度、長さが３００〜５００ｍｍ程度の丸棒で構成されている。斯かる把手４は、その両端部を支持片でケーシング７の枠の裏面に固定されている。
【００２９】
一方、ベランダの柵８の上端部には、前述の１組の受金具１の間に掛止金具２が取り付けられている。掛止金具２は、上記の把手４を受止めるための金具であり、幅が１００〜１５０ｍｍ程度の細長の金属板を２個所で同一方向に９０度屈曲させた構造の略コ字状に形成されている。すなわち、掛止金具２は、ベランダの柵８の上端部に架け渡す架渡し部２ｂと、当該架渡し部からベランダの柵８の内面側に垂下する突当て部２ａと、架渡し部２ｂからベランダの柵８の外面側に垂下する吊下げ部２ｃとから構成されている。そして、架渡し部２ｂの先端部は、吊下げ部２ｃよりも柵８の外側に張り出すように構成されており、かつ、張り出し部分の上面には、太陽集熱器の把手４の滑落を規制する掛止部２５が設けられている。
【００３０】
掛止金具２の突当て部２ａは、ベランダの柵８の内面に突当てる部位であり、突当て部２ａには、鋼板や硬質ゴムからなる滑り止め２１が付設されている。吊下げ部２ｃには、ベランダの柵８に掛止金具２を固定するための機構が設けられている。すなわち、吊下げ部２ｃには、ベランダの柵８を挟み付ける押え板２２が設けられており、斯かる押え板２２は、吊下げ部２ｃの内側（柵８側）に配置され、その一面側には、当該吊下げ部に向けて例えば４本の全ネジボルト２３が取り付けられている。全ネジボルト２３は、吊下げ部２ｃに設けられたボルト穴に挿通されており、全ネジボルト２３には、吊下げ部２ｃの内側に不陸調整ナット２４ｂが螺着され、吊下げ部２ｃから突出する全ネジボルト２３の先端側には、固定ナット２４が螺着されている。
【００３１】
不陸調整ナット２４ｂは、これを緩む方向に回転させることにより、押え板２２を柵８側に接近させる機能を有し、固定ナット２４は、これを締め付けることにより、吊下げ部２ｃと押え板２２とを緊結する機能を有している。換言すれば、不陸調整ナット２４ｂを調整して押え板２２を柵８の外面に押し当て、固定ナット２４を締め付けることにより、掛止金具２で柵８の上端部を挟み付けることができる。そして、架渡し部２ｂの張り出し部分に配置された掛止部２５は、例えば、１辺が８〜１２ｍｍ程度の角パイプで構成されている。掛止金具２に掛止部２５が設けられていることにより、太陽集熱器の前述の把手４を下方から支持し、太陽集熱器の荷重を柵８側へ分散できる。
【００３２】
本発明の取付金物を使用してベランダの柵８に太陽集熱器を取り付ける方法は次の通りである。すなわち、最初に、図３に示すように、ベランダの柵８に１組の受金具１を取り付ける。その場合、これら受金具１の間隔をケーシング７の両側の差込み金具５の間隔に正確に調整しておく必要がある。
【００３３】
そこで、図示しないが、受金具１，１の間隔を設定するにあたり、間隔調整用のゲージとして、帯状の板材の両端が同一方向に各９０度屈曲した構造を備え且つ当該屈曲部分の離間間隔（内法）が太陽集熱器のケーシング７の２側面の差込み金具５，５の離間間隔（内法）と同一に設定されたゲージを使用する。具体的には、１組の受金具１を柵８の上端に仮置きし、その上方から上記のゲージをあてがい、ゲージの両端の屈曲部分がそれぞれ各受金具１の受止め部材３の案内溝３１に嵌合するように各受金具１の位置をずらす。更に、ゲージを嵌合させた状態で双方の受金具１を僅かに離間させてゲージの屈曲部分の内側面を案内溝３１の縁に押し当てる。すなわち、受止め部材３の案内溝３１にゲージの屈曲部分を挿入することにより、これら受金具１の位置決めを行う。そして、この状態で各受金具１を固定する。
【００３４】
受金具１を固定するには、押え板１２の不陸調整ナット１４ｂを緩める方向に回転させ、吊下げ部１ｃから押え板１２を漸次離間させて柵８の外面に押し当てる。すなわち、押え板１２を移動させることにより、相対的に受金具１全体を柵８の外側方向に移動させ、突当て部１ａと押え板１２によって柵８を内側と外側から挟み付ける。そして、固定ナット１４を締め付けることにより、受金具１を柵８に固定する。次いで、同様にして、不陸調整ナット６２ｂを操作し、下端押え板６を柵８の外面に押し付けて、固定ナット６２を締め付ける。
【００３５】
次に、両方の受金具１の中間に位置するように、ベランダの柵８の上端に掛止金具２を取り付ける。掛止金具２は、受金具１と同様にして取り付けることができる。すなわち、押え板２２の不陸調整ナット２４ｂを緩める方向に回転させ、吊下げ部２ｃから押え板２２を離間させて柵８の外面に押し当てる。そして、固定ナット１４を締め付けることにより、受金具１を柵８に固定する。
【００３６】
上記のようにして１組の受金具１及び掛止金具２を柵８に取り付けた後は、太陽集熱器を立てた状態にしてベランダの外側に下ろしてゆき、ケーシング７の両側の差込み金具５を受金具１の受止め部材３の案内溝３１に挿入する。その際、各受金具１は、上記のように両方の受止め部材３の案内溝３１の離間間隔が予めケーシング７側の差込み金具５の間隔に正確に調整されており、しかも、案内溝３１の上部がＶ字状に開かれた形状に形成されているため、上方から太陽集熱器を落とし込むだけで、案内溝３１に各差込み金具５を確実に挿入することができる。
【００３７】
受金具１で差込み金具５を受止めた場合には、差込み金具５のＬ字の底辺部（ケーシング７の裏面側に回り込んだ屈曲部分）が受金具１の受止め部材３に収容され、更に差込み金具５の下端部が受止め部材３の底板３２で受止められるため、ベランダの柵８の外面に太陽集熱器を懸架することができる。
【００３８】
また、上記のように受金具１に太陽集熱器を落とし込んだ場合、両方の受金具１の間に取り付けられた掛止金具２がケーシング７の裏面側の把手４を支持し、太陽集熱器の荷重が掛止金具２にも分散されるため、より一層安全に太陽集熱器を懸架できる。そして、太陽集熱器を配置した後は、各受金具１の吊下げ部１ｃの裏面側に工具を差し入れ、ナット１７を締め付けてロックボルト１６を固定する。これにより、受止め部材３からの差込み金具５の抜け出しを防止することができる。
【００３９】
更に、本発明の取付金物は、図３に示すように、１基の太陽集熱器に対して１組（２個）の受金具１をベランダの柵８に配置するが、例えば２基の太陽集熱器を並べて設置する場合には、３個の受金具１を配置し、両方の太陽集熱器の隣接する差込み金具５を中央の１つの受金具１で受けることができる。すなわち、ケーシング７の側面に取り付けられた差込み金具５のＬ字の底辺部が当該ケーシングの裏面側に屈曲しており、しかも、受金具１の受止め部材３の案内溝３１の溝幅が差込み金具５の厚さの２倍以上の大きさに設定されているため、２つの差込み金具５の側面を重ね合わせることにより、これら差込み金具５を１つの受金具１を受けることができる。従って、複数基の太陽集熱器を設置する場合には、太陽集熱器よりも１だけ少ない数の受金具１を等間隔でベランダの柵８に配置すればよい。
【００４０】
上記のように、本発明の取付金物を使用することにより、ベランダ内側からの簡単な施工でベランダの柵８に受金具１を取り付けることができ、そして、受金具１を取り付けた後は、太陽集熱器を上方から落とし込み、受金具１の吊下げ部１ｃの受止め部材３に形成された案内溝３１に太陽集熱器側の差込み金具５を挿入するだけで、ベランダの柵８の外面に太陽集熱器を懸架できる。従って、本発明によれば、既存のベランダの柵８に対しても簡単に且つ安全に太陽集熱を設置することができる。なお、本発明は、太陽集熱器に限らず、太陽電池モジュール等の各種のパネル状製品に適用することができる。
【符号の説明】
【００４１】
１  ：受金具
１ｂ：架渡し部
１ａ：突当て部
１ｃ：吊下げ部
１１：滑り止め
１２：押え板
１３：全ネジボルト
１４：固定ナット
１４ｂ：不陸調整ナット
１５：長穴
１６：ロックボルト
１７：ナット
２  ：掛止金具
２ａ：突当て部
２ｂ：架渡し部
２ｃ：吊下げ部
２５：掛止部
２１：滑り止め
２２：押え板
２３：全ネジボルト
２４：固定ナット
２４ｂ：不陸調整ナット
３  ：受止め部材
３１：案内溝
３２：底板
４  ：把手
５  ：差込み金具
５１：吊下げ穴
６  ：下端押え板
６１：全ネジボルト
６２：固定ナット
６２ｂ：不陸調整ナット
７  ：太陽集熱器（ケーシング）
８  ：ベランダの柵
【図１】
2014031922.tif 000003
【図２】
2014031922.tif 000004
【図３】
2014031922.tif 000005